(57)【特許請求の範囲】
【請求項１】
弁箱内を一次側から二次側に向かう水流によって弁箱内の通水路内に配設されたパドルを押し上げることにより水流を検知する消火設備用流水検知装置であって、上記パドルは左右一対の分割パドル片からなり、これらの分割パドル片の対向する分割端部をパドル軸の先端両側部にそれぞれ回動自在に枢着していると共にこれらの分割パドル片をスプリングによって一次側に向かって常時押圧してあり、一次側から二次側に向かう水流が発生した時に、その水流圧によって分割パドル片を上記スプリング力に抗してパドル軸の先端部を支点として流水方向に回動、傾斜させると共にパドル軸を上方に傾動させてこのパドル軸の基端側に配した流水検知スイッチを作動させるように構成したことを特徴とする消火設備用流水検知装置。
【請求項２】
パドル軸の先端部両側に配設している左右一対の分割パドル片における一次側に面している下面に分割弁片をそれぞれ固着してこれらの分割弁片によって逆止弁を形成していると共に、弁箱内の通水路の下端部に逆止弁の外周部下面とこの逆止弁を形成している分割弁片の対向する端部の下面とを着座させる弁座を設けていることを特徴とする請求項１に記載の消火設備用流水検知装置。
【請求項３】
パドルの先端部にパドル水平保持板を配設し、このパドル水平保持板の両側端面にスプリング力によって下方に押圧されている一対の分割パドル片の分割端面を当接、受止させていることを特徴とする請求項１に記載の消火設備用流水検知装置。
【請求項４】
パドル軸の先端部両側に配設している一対の分割パドル片を下方に向かって押圧しているスプリングはパドル軸の先端部に巻装されていて、その基端部をパドルの先端部に取付けているスプリング受けに受止させ、先端部を分割パドル片の上面に押接させていることを特徴とする請求項１または請求項３に記載の消火設備用流水検知装置．
【発明の詳細な説明】
【技術分野】
【０００１】
本発明は、スプリンクラー設備や泡消火設備等の消火設備用の流水検知装置、特に、パドルの動きによって流水を検知するパドル式の流水検知装置に関する。
【背景技術】
【０００２】
従来から、高層建築物や低層建築物等においては、防火対象となる領域を複数の警戒区域に分割して、各警戒区域にはスプリンクラー設備としてスプリンクラーヘッドを装着したスプリンクラー配管が設けられている。さらに、各スプリンクラー配管はパドル式流水検知装置の弁箱の二次側に接続されている一方、弁箱の一次側には消火水配管が接続され、これらの消火水配管は高層建築物の地下等に配設された貯水槽に送水ポンプを介して接続している。
【０００３】
そして、火災時にスプリンクラーヘッドから放水が行われると、スプリンクラー配管内の圧力が低下してこの圧力よりも高圧となった一次側配管である消火水配管側の圧力により、消火水が一次側から二次側に流動し、その流水圧を上記流水検知装置のパドルに受止させてパドルを傾動させることにより流水信号を出力させ、警報装置等がこの信号を受けて警報を発したり、さらには、火災発生箇所を知らせたりするように構成している。
【０００４】
このような消火設備に使用されている上記パドル式の流水検知装置としては、通常、特許文献１の図５や特許文献２の図３に記載されているように、一次側の配管と二次側の配管との間の流水管路内にこの管路の管軸に対して直交するように平板形状のパドルを配設し、このパドルの一部を管壁に配設した支持腕或いは回動軸に支持させると共にパドルをスプリング力等によって常時一次側に向かって付勢してあり、流水圧によりパドルが上記支持腕或いは回動軸を支点として二次側配管方向に回動、傾斜した際に、この傾動に伴って作動する支持腕或いは回動軸により、流水検知スイッチをオンさせて上記のように流水信号を出力させるように構成した流水検知装置が知られている。
【先行技術文献】
【特許文献】
【０００５】
【特許文献１】特開２００２−６５８８５号公報
【特許文献２】特開２００７−２０９９７号公報
【発明の概要】
【発明が解決しようとする課題】
【０００６】
しかしながら、上記流水検知装置によれば、流水圧によるパドルの作動を確実に行わせるためにパドルの流水受圧面積を大きくすると、この流水受圧面積の大小に比例して圧力損失が大きくなるといった問題点がある。このため、パドルの流水受圧面積を小さくすれば、圧力損失を低減することができるが、そうすると、パドルと配管の内壁との間の隙間が大きくなり、火災発生時に、例えば、１個のスプリンクラーヘッドが作動した場合のように、配管中を流動する消火水が小流量であると、パドルを殆ど作動させることなく消火水が上記大きな隙間を通じて二次側に流通し、流水検知が行われなくなる虞れがある。
【０００７】
本発明はこのような問題点に鑑みてなされたもので、その目的とするところは、小流量時に流水検知が確実に行えるようにパドルの流水受圧面積を大きくしても、大流量時には圧力損失を確実に低減させることができるパドル式の消火設備用流水検知装置を提供するにある。
【課題を解決するための手段】
【０００８】
上記目的を達成するために本発明の消火設備用流水検知装置は、請求項１に記載したように、弁箱内を一次側から二次側に向かう水流によって弁箱内の通水路内に配設されたパドルを押し上げることにより水流を検知する消火設備用流水検知装置であって、上記パドルは左右一対の分割パドル片からなり、これらの分割パドル片の対向する分割端部をパドル軸の先端両側部にそれぞれ回動自在に枢着していると共にこれらの分割パドル片をスプリングによって一次側に向かって常時押圧してあり、一次側から二次側に向かう水流が発生した時に、その水流圧によって分割パドル片を上記スプリング力に抗してパドル軸の先端部を支点として流水方向に回動、傾斜させると共にパドル軸を上方に傾動させてこのパドル軸の基端側に配した流水検知スイッチを作動させるように構成している。
【０００９】
このように構成した消火設備用流水検知装置において、請求項２に係る発明は、パドル軸の先端部両側に配設している左右一対の分割パドル片における一次側に面している下面に分割弁片をそれぞれ固着してこれらの分割弁片によって逆止弁を形成していると共に、弁箱内の通水路の下端部に逆止弁の外周部下面とこの逆止弁を形成している分割弁片の対向する端部の下面とを着座させる弁座を設けていることを特徴とする。
【００１０】
また、請求項３に係る発明は、上記パドルの先端部にパドル水平保持板を取付けてあり、このパドル水平保持板の両側端面にスプリング力によって下方に押圧されている一対の分割パドル片の分割端面を当接、受止させていることを特徴とする。
【００１１】
請求項４に係る発明は、パドル軸の先端部両側に配設している一対の分割パドル片を下方に向かって押圧しているスプリングはパドル軸の先端部に巻装されていて、その基端部をパドルの先端部に取付けているスプリング受けに受止させ、先端部を分割パドル片の上面に押接させていることを特徴とする。
【発明の効果】
【００１２】
請求項１に係る発明によれば、弁箱内を一次側から二次側に向かう水流によって弁箱内の通水路内に配設されたパドルを押し上げることにより水流を検知する消火設備用流水検知装置であって、上記パドルは左右一対の分割パドル片からなり、これらの分割パドル片の対向する分割端部をパドル軸の先端両側部にそれぞれ回動自在に枢着していると共にこれらの分割パドル片をスプリングによって一次側に向かって常時押圧しているので、火災時にスプリンクラー等からの放水によって上記弁箱内の通水路に一次側から二次側に向かう水流が生じた際に、その流水圧によって分割パドル片をパドル軸を支点としてスプリングに抗して上方、即ち、二次側に回動、傾斜させて圧力損失を低減させながら通水路の流水面積を大きく拡げて円滑に流動させることができると共に、パドル軸を上方に傾動させて流水検知スイッチを作動させ、警報装置等に確実に信号を出力させることができる。
【００１３】
従って、一対の分割パドル片によって形成されるパドルの流水受圧面積を大きくしても圧力損失を大幅に軽減させることができるので、弁箱内の通水路との間の隙間が極めて小さくなるように流水受圧面積の大きいパドルを上記通水路内に配設して、一次側から二次側に向かう流水が小流量であってもパドル軸を確実に作動させることができる感度のよい流水検知装置を提供することができ、警報装置等による警報を迅速に発することができると共に火災が発生した区域を遅滞なく知らせることができる。
【００１４】
また、請求項２に係る発明によれば、パドル軸の先端部両側に配設している分割パドル片における一次側に面している下面に分割弁片をそれぞれ固着してこれらの分割弁片によって逆止弁を形成していると共に、分割パドル片からなるパドルを配設している弁箱内の通水路の下端部に逆止弁の外周部下面と逆止弁を形成している分割弁片の対向する端部の下面とを受止する弁座を設けているので、逆止弁とパドルとを一体化させた構造が簡単な流水検知装置を提供することができると共に、弁箱内の通水路に一次側から二次側に向かう水流が生じた際には上記同様に、その流水圧によって分割パドル片をパドル軸を支点として二次側に回動、傾斜させて圧力損失を低減することができ、さらに、一次側から二次側に向かう流水が小流量であってもパドル軸を確実に作動させることができる感度のよい流水検知装置を提供することができる。
【００１５】
請求項３に係る発明によれば、上記パドルの先端部にパドル水平保持板を取付けてあり、このパドル水平保持板の両側端面にスプリング力によって下方に押圧されている一対の分割パドル片の分割端面を当接、受止させているので、常態においては一対の分割パドル片を弁箱内の通水路を横切る方向に水平状に展開した状態に保持してこれらの分割パドル片によって流水受圧面積の大きいパドルを形成しておくことができ、火災時にスプリンクラー等からの放水によって弁箱内の通水路に一次側から二次側に向かう水流が生じた際には、その水流圧によって分割パドル片の分割端面をスプリング力に抗して水平保持板の両端面からそれぞれ離間させながら円滑に上方に回動、傾斜させて圧力損失を低減することができる。
【００１６】
請求項４に係る発明によれば、パドル軸の先端部両側に配設している一対の分割パドル片を下方に向かって押圧しているスプリングはパドル軸の先端部に巻装されていて、その基端部をパドルの先端部に取付けているスプリング受けに受止させ、先端部を分割パドル片の上面に押接させているので、両側に分割パドル片を配設しているパドル軸の先端部を利用してこれらの分割パドル片の上面を下方に向かって押圧するスプリングを配した構造が簡単な分割パドル片付勢機構を得ることができる。
【図面の簡単な説明】
【００１７】
【図１】本発明の消火設備用流水検知装置の縦断側面図。
【図２】流水検知装置におけるパドル軸の先端部に設けたパドルの斜視図。
【図３】その側面図。
【図４】その正面図。
【図５】図３におけるＡ−Ａ線縦断正面図。
【図６】本発明の消火設備用流水検知装置を備えたスプリンクラー設備の一部の系統図。
【図７】小流量時における分割パドル片の作動形態を示す正面図。
【図８】その側面図。
【図９】大流量時における分割パドル片の作動形態を示す正面図。
【図１０】その側面図。
【図１１】その斜視図。
【図１２】本発明消火設備用流水検知装置の別な実施形態を示す縦断側面図。
【図１３】そのパドル部分の正面図。
【図１４】その側面図。
【図１５】図１２におけるＢ−Ｂ線縦断正面図。
【図１６】小流量時におけるパドルと逆止弁との作動形態を示す縦断正面図。
【図１７】その縦断側面図。
【図１８】大流量時におけるパドルと逆止弁との作動形態を示す縦断正面図。
【図１９】その縦断側面図。
【発明を実施するための形態】
【００１８】
本発明の具体的な実施例を図面について説明すると、図１において、流水検知装置は弁箱１内に流水検知部10と逆止弁20とを備えてなり、弁箱１の下端に一次側の開口部1aを、上端に二次側の開口部1bを形成していると共にこれらの一次側開口部1aと二次側開口部1b間の弁箱１の上半部内を弁室２に、下半部内を上記二次側開口部1bから弁室２に連通する一定径を有する垂直な通水路３に形成してあり、さらに、弁箱１の壁部に外部から通水路３の長さ方向の中間部に連通する通孔４を穿設していると共に、中央にパドル軸挿通用の連通孔６を設けたスイッチ取付用スリーブ５を、その連通孔６を上記通孔４に連通させた状態にして弁箱１の外壁面に固着している。
【００１９】
流水検知部10は、上記スイッチ取付用スリーブ５に設けている連通孔６から上記通孔４に挿通してその先端部を弁箱１の上記通水路３内に突出させ、且つ、基端部を弁箱外に突出させた状態にしてその長さ方向の中間部から基端部寄りの部分を上記連通孔６内に上下方向に回動自在に支持７させているパドル軸11と、このパドル軸11の先端部に上記通水路３の内周面からその外周端面を隙間を存した状態にして垂直な通水路３に直交する水平方向に向けて取付けている円板形状のパドル12と、水平状に保持されているパドル軸11の基端部側を上方に引き寄せる方向に付勢している引張りスプリング13と、パドル12が上記通水路３を一次側から二次側に向かって流通する流水によって押圧されてパドル軸11が上記支持部７を支点としてその基端部側が下方に傾動した時に作動し、出力信号を発する流水検知スイッチ14とから構成されている。
【００２０】
上記円板形状のパドル12は、図２〜図５に示すように、一定径を有する円板の中央部を一定幅だけ直径方向に切除することによって左右に二分割された一対の半月状の分割パドル片12a 、12b からなり、これらの分割パドル片12a 、12b の平行に対向する分割端面の両端部にこれらの両端部から上方に突出した一対の小環体12c 、12d をそれぞれ一体に形成している。そして、左右一対の分割パドル片12a 、12b を上記パドル軸11の先端両側部にそれぞれ水平状に配して対向する分割端面に一体に設けているこれらの小環体12c 、12d をパドル軸11の先端部に挿嵌させることにより、分割パドル片12a 、12b を通水路３内でパドル軸11に上下方向に回動自在に支持させていると共にこれらの分割パドル片12a 、12b によって形成されたパドル12は、パドル軸11が回動した際にその回動に伴って通水路３内を上方に移動可能となるように、通水路３の内周面とこのパドル12の円形状の外周端面との間に隙間を設けている。
【００２１】
さらに、分割パドル片12a 、12b の両端の上記小環体12c 、12d 間に露出しているパドル軸11の先端部に、長さ方向に小間隔を存して、小ねじからなる小径の軸体15、15をパドル軸11の上下周部に設けている螺子孔に螺通させて固定していると共に、パドル軸11から上方に突出したこれらの軸体15、15の上端部に板状のスプリング受け16の両端部を固定し、パドル軸11から下方に突出したこれらの軸体15、15の下端部に長方形状の板片からなるパドル水平保持板17の両端部を固定して、パドル軸11の先端部の上方及び下方にそれぞれスプリング受け16とパドル水平保持板17をそれぞれ互いに平行に配設している。
いる。
【００２２】
上記パドル軸11の先端部に一対のスプリング18a 、18b を巻装してあり、これらのスプリング18a 、18b の基端部を上記スプリング受け16に固定、支持させている一方、先端部を上記一対の分割パドル片12a 、12b の上面にそれぞれ押接させて、これらの分割パドル片12a 、12b をパドル軸11の先端部を支点としてパドル軸11の両側方において下方に回動する方向に付勢してあり、常態においては、これらのスプリング力によって分割パドル片12a 、12b はその対向する分割端面を上記パドル水平保持板17の互いに平行な両側端面にそれぞれ当接、受止させて水平状に保持されている。
【００２３】
上記スイッチ取付用スリーブ５に設けている連通孔６内において、上記パドル軸11を上下方向に回動自在に支持している支持部７は、中央部をパドル軸11に一体に固着させているゴムパッキンからなり、このゴムパッキンの弾性力によってパドル軸11を上下回動自在に支持している。上記連通孔６から弁箱１外に突出しているパドル軸11の基端部は、図１に示すように、上記スイッチ取付用スリーブ５の端面に取付ているスイッチ函体８内に突出してあり、上記弁箱１内に一次側開口部1aから二次側開口部1bに向かう通水が生じた際に上記支持部７を支点として下方に回動、傾斜するパドル軸11の基端部の動きによって上記流水検知スイッチ14をオンし、警報装置等への出力信号を発するように構成している。    
【００２４】
なお、この実施例においては上記流水検知スイッチ14としてマイクロスイッチを採用し、スイッチ函体８内におけるこのマイクロスイッチの上方にダイヤフラム又はスプリング或いはこれらのダイヤフラムとスプリングとの押圧力によって下方に付勢されている押圧部材19を配設していると共に、上端をスイッチ函体８内の上端部に支持させ、下端部をパドル軸12の基端部に連結している上記引張りスプリング13の引張力によってパドル軸11の基端部を上方に引き寄せてその基端を上記押圧部材19の下面に押しつけ、この押圧部材19の弾圧力によって上記引張りスプリング13を伸長させながらパドル軸11を水平状に保持させてあり、上述したように弁箱１内に水流が生じてパドル軸11の基端側が引張りスプリング13の引張力に抗して下方に回動、傾斜した際に、この傾動に伴って下方に移動する上記押圧部材19によってマイクロスイッチをオンさせるように構成しているが、流水検知スイッチ14としてリードスイッチ等を採用し、適宜な機構を介して上記パドル軸11の基端部の下回動によって流水を検知するように構成しておいてもよく、その他の検知スイッチ機構を採用してもよい。
【００２５】
また、上記弁箱１内の弁室２には、二次側配管側の点検時等において、この配管内の消火水を外部に排出するための排水管路９（常態においては閉止されている）が設けられてあり、この排水管路９の開口端側の壁部に支持軸21を設けて、この支持軸21に上記通水路３の上端開口部を開閉自在に閉止した逆止弁20に突設した腕片23の突出端部を回動自在に支持させてあり、常態においては逆止弁20をその自重によって通水路３の上端開口部に設けている弁座22に着座させて通水路３を閉止している。
【００２６】
図６は、上記のように構成した流水検知装置を高層建築物30のスプリングクラー設備に採用した場合の消火水配管系統図であって、高層建築物30の各階の各戸を警戒区域31として各警戒区域31毎に、その天井側に複数個のスプリンクラーヘッド32を装着したスプリンクラー配管33が設けられていると共に、最上階から最下階に到る縦方向に連なる全ての各警戒区域31に配設されたスプリンクラー配管33の基端部は縦方向に配管された共通する一本の消火水配管34に、各警戒区域31に配設された送水配管35を介して接続してあり、これらの各送水配管35に、上記流水検知部10と逆止弁20とを備えた弁箱１をその一次側開口部1aを消火水配管34に、二次側開口部1bをスプリンクラー配管33側に連通させた状態で取付けている。
【００２７】
さらに、各警戒区域31に配管されている各送水配管35における二次側配管部に圧力計36を取付けてあり、また、上記消火水配管34は地階等に設置された貯水槽37に加圧送水ポンプ38を介して接続されていると共に加圧圧送ポンプ30近くの上記消火水配管34には圧力スイッチ39を備えた圧力タンク40が接続されている。さらに、上記各スプリンクラー配管33には補助散水栓41のホースが配管を介して接続されている。なお、消火水配管34、弁箱１を配設している送水配管35、スプリンクラー配管33には消火水が充満している。
【００２８】
このように構成した消火水配管系統において、高層建築物30の一つの警戒区域31に火災が発生してこの警戒区域31の天井面に配設しているスプリンクラーヘッド32から室内に向かって放水が行われると、スプリンクラー配管33が接続している弁箱１の二次側の圧力が低下してこの弁箱１内に二次側よりも高圧となった一次側開口部1aから二次側開口部1bに向かう水流が発生すると共に、上記二次側の圧力の低下によって上記圧力タンク40の圧力スイッチ39が減圧作動して加圧送水ポンプ38が起動し、貯水槽37内から消火水配管34に消火水を圧送する。
【００２９】
弁箱１内の通水路３に上記一次側開口部1aから二次側開口部1bに向かう水流が発生すると、その流水圧によって逆止弁20が押し上げられて流水検知装置10のパドル12を配設させている通水路３が弁室２内を通じて二次側に連通すると共に、この通水路３内に配設しているパドル12の下面に水流が流突してこのパドル12を設けているパドル軸11の先端部が支持部７を支点としてスイッチ函体８内に配設している引張りスプリング13の引張力に抗して水平状態から上方に回動、傾斜する。この時、パドル軸11の基端部が上記支持部７を支点としてパドル軸11の先端部とは反対側の下方に向かって回動、傾斜し、これに伴ってパドル軸11の基端部上に押し付けている押圧部材19が下動して流水検知スイッチ14をオンにし、その信号を警報器等に出力してスプリンクラーヘッド32が作動した警戒区域31を知らせる。
【００３０】
上記パドル12は、左右一対の分割パドル片12a 、12b からなり、これらの分割パドル片12a 、12b の対向する分割端部をパドル軸11の先端両側部にそれぞれ回動自在に枢着して円板形状のパドルに形成していると共にこれらの分割パドル片12a 、12b をパドル軸11の先端部に巻装しているスプリング18a 、18b によって一次側に向かって付勢されているので、通水路３を一次側から二次側に向かって流動する単位時間当たりの消火水の流量が小流量である場合には、分割パドル片12a 、12b を下方に押圧しているスプリング18a 、18b の付勢力がその流水圧に打ち勝って分割パドル片12a 、12b をその下面の流水受圧面積が大きくなるように円板形状に展開した状態に保持しながら、或いは、図７、図８に示すように、スプリング18a 、18b の付勢力に抗して、分割パドル片12a 、12b をパドル軸11の先端部を支点として僅かに上方に回動、傾斜させた状態にして、大部分の通水を分割パドル片12a 、12b の下面に流突させながら分割パドル片12a 、12b と通水路３との間の隙間を通じて二次側に流通させると共に、パドル軸11の先端部を素早く上方に傾動させて上記のように流水検知スイッチ14をオンさせて火災発生箇所等を迅速に報知することができる。
【００３１】
一方、室内に放水するスプリングクラーヘッド32の数等が増えて消火水配管34から送水配管35に圧送される消火水の単位時間当たりの流量が多くなると、分割パドル片12a 、12b の下面を押圧する流水圧が大きくなり、その流水圧によって分割パドル片12a 、12b がスプリング18a 、18b の付勢力に抗してパドル軸11の先端部を支点として図９〜図11に示すように上方に回動、傾斜し、分割パドル片12a 、12b と通水路３との間の通水面積を大きくして圧力損失を低減させながらスプリンクラー配管33に消火水を円滑に圧送することができると共に、分割パドル片12a 、12b に作用する流水圧によって上述したように、パドル軸11を傾動させて流水スイッチ14をオンし、火災の発生を報知することができる。また、手動消火の場合には補助散水栓41のホースを引き出して消火を行うことができる。
【００３２】
なお、パドル軸11は流水スイッチ14をオンさせる一定の傾斜角度まで傾動すると、それ以上の傾動が阻止されるが、分割パドル片12a 、12b はその下面に作用する流水圧の大きさに比例してパドル軸11の先端部を支点としての上方への回動傾斜角度が大きくなり、圧力損失を低減させながら一次側から二次側に向かって流動させることができる。なお、以上の実施例においては、二次側に逆止弁20を配設したパドル式の流水検知装置を示したが、一次側に逆止弁を配設した流水検知装置であってもよく、また、逆止弁がないパドル式の流水検知装置を採用してもよい。
【００３３】
次に、上記実施例においては、弁箱１として、その上半部内を二次側に連通する弁室２に、下半部内を一次側に連通する通水路３に形成し、上記弁室２に逆止弁20を、通水路３に分割パドル片12a 、12b からなるパドル12をそれぞれ配設しているが、逆止弁20をパドル12に一体に設けた構造にすることもできる。
【００３４】
図12はパドル12に逆止弁20を一体に設けている流水検知部10' を備えた流水検知装置の実施例を示すもので、弁箱１の上半部内に、上端に二次側開口部1bを有する一定径の上側通水路3aを設け、下半部内に、下端に一次側開口部1aを有する下側通水路3bを設けてあり、上側通水路3aの下端部内を弁室としてこの下端部内に、下面に逆止弁20を一体に取付けている左右一対の分割パドル片12a 、12b からなるパドル12を配設していると共に、パドル上側通水路3aに臨ませている下側通水路3bの上端に逆止弁20の弁座22を設けている。
【００３５】
なお、上記弁箱１の壁部に外部から上側通水路3aに連通した通孔４を穿設すると共に、中央にパドル軸挿通用の連通孔６を設けたスイッチ取付用スリーブ５を、その連通孔６を上記通孔に連通させた状態にして弁箱１の外壁面に固着している構造や、パドル軸11の長さ方向の中間部を上下回動自在に支持しているゴムパッキンからなる支持部７の構造、上記スイッチ取付用スリーブ５の背面に装着しているスイッチ函体８内に配設した流水検知スイッチ14の構造、パドル軸11の先端部に左右一対の分割パドル片12a 、12b を上方に向かって回動自在に取付けた構造等については上記実施例と同じであるので、同一部分には同一符号を付して詳細な説明を省略する。
【００３６】
上記逆止弁20は、図12〜図15に示すように、分割パドル片12a 、12b と平面形状が同大、同形の三日月形状に形成された左右一対の分割弁片20a 、20b からなり、これらの分割弁片20a 、20b を上記分割パドル片12a 、12b の一次側に面している下面にそれぞれ貼着等によって一体に取付けている。この左右一対の分割弁片20a 、20b からなる逆止弁20を脱着自在に受止する上記弁座22は、逆止弁20の外周部下面を着座させるリング状の弁座部22a と、分割弁片20a 、20b の対向する分割端部の下面を着座させる一定幅を有する中央直状弁座部22b とを備えている。
【００３７】
このように構成した流水検知部10' を有する流水検知装置の弁箱１は、スプリンクラー設備に採用する場合、上記実施例と同じく図６に示すように、その一次側開口部1aを消火水配管34に、二次側開口部1bをスプリンクラー配管33側に連通させた状態で取付けている。スプリンクラー配管33には上述したように複数個のスプリンクラーヘッド32が装着されてあり、このスプリンクラー配管33は建築物30の各階の各警戒区域31毎に設けられていると共に、最上階から最下階に到る縦方向に連なる全ての各警戒区域31に配設されたスプリンクラー配管33の基端部は縦方向に配管された共通する一本の上記消火水配管34に各警戒区域31に配設された送水配管35を介して接続している。なお、地階等に設置された貯水槽37や加圧送水ポンプ38、ポンプ起動用の圧力スイッチ39を備えた圧力タンク40等の配置構成は上記実施例と同じである。
【００３８】
次に、下面に逆止弁20を一体に設けている左右一対の分割パドル片12a 、12b からなるパドル12を有する上記流水検知部10' を備えた流水検知装置の作用を述べると、火災が発生して高層建築物30の一つの警戒区域31に配設しているスプリンクラーヘッド32から室内に向かって放水が行われると、上記実施例で述べたように、スプリンクラー配管33が接続している箱体１の二次側の圧力が低下して弁箱１内に二次側よりも高圧となった一次側開口部1aから二次側開口部1bに向かう水流が発生すると共に、上記二次側の圧力の低下によって圧力タンク40の圧力スイッチ39が減圧作動して加圧送水ポンプ38が起動し、貯水槽37内から消火水配管34に消火水を圧送する。
【００３９】
弁箱１内に上記一次側開口部1aから二次側開口部1bに向かう水流が発生すると、その流水圧によってパドル12の下面に一体に設けている逆止弁20がパドル軸11の先端部側を常時二次側に向かって付勢している引張りスプリング13の力に抗してパドル軸11の先端部側を支持部７を支点として上方に回動傾斜させながらパドル12と一体に押し上げられて図16、図17に示すように弁座22から離脱し、一次側配管である消火水配管33側から二次側配管であるスプリンクラー配管33側に向かって消火水を流動させると共に、支点部７を中心にして下方に回動パドル軸11の基端部の下動によって上記同様に流水検知スイッチ14をオンにし、その信号を警報器等に出力してスプリンクラーヘッド32が作動した警戒区域31を知らせる。
【００４０】
一次側から二次側に向かって流動する単位時間当たりの消火水の流量が小流量である場合には、下面に分割弁片20a 、20b をそれぞれ取付けている分割パドル片12a 、12b の上面を押圧しているスプリング18a 、18b の付勢力がその流水圧に打ち勝って分割パドル片12a 、12b を分割弁片20a 、20b と共にその下面の流水受圧面積が大きくなるように円板形状に展開した状態に保持しながら、或いは、図16、図17に示すように、スプリング18a
、18b の付勢力に抗して、分割パドル片12a 、12b を分割弁片20a 、20b と共にパドル軸11の先端部を支点として僅かに上方に回動、傾斜させた状態にして、大部分の通水を分割パドル片12a 、12b の下面に取付けた分割弁片20a 、20b の下面に流突させながら分割パドル片12a 、12b と通水路３との間の隙間を通じて二次側に流通させると共に、パドル軸11の先端部を素早く上方に傾動させて上記のように流水検知スイッチ14をオンさせて火災発生箇所等を迅速に報知する。
【００４１】
一方、室内に放水するスプリングクラーヘッド32の数が増えて消火水配管34から送水配管35に圧送される消火水の単位時間当たりの流量が多くなると、分割弁片20a 、20b の下面を押圧する流水圧が大きくなり、その流水圧によって分割弁片20a 、20b が分割パドル片12a 、12b と一体にスプリング18a 、18b の付勢力に抗してパドル軸11の先端部を支点として図18、図19に示すように上方に回動、傾斜し、分割パドル片12a 、12b と通水路３との間の通水面積を大きくして圧力損失を低減させながらスプリンクラー配管33に消火水を円滑に圧送することができると共に、分割弁片20a 、20b に作用する流水圧によって上述したように、パドル軸11を傾動させて流水スイッチ14をオンし、火災の発生を報知することができる。
【００４２】
なお、この実施例においても上記実施例と同様に、パドル軸11は流水スイッチ14をオンさせる一定の傾斜角度まで傾動すると、それ以上の傾動が阻止されるが、下面に分割弁片20a 、20b を一体に設けている分割パドル片12a 、12b はその下面に作用する流水圧の大きさに比例してパドル軸11の先端部を支点としての上方への回動傾斜角度が大きくなり、圧力損失を低減させながら一次側から二次側に向かって流動させることができる。
【００４３】
また、上記いずれの実施例においても弁箱１内におけるパドル12の配設部を断面円形状に形成した場合であって、パドル12もこの配設部に応じた平円板形状となるように一対の半月形状の分割パドル片12a 、12b から構成しているが、パドル12の配設部が四角形状である場合にはパドル12をその形状に応じた平面四角形状に形成するものであり、要するに、配設部の断面形状に応じたパドル12に形成しておけばよい。また、上記実施例においてはいずれも本発明流水検知装置をスプリンクラー設備に採用した場合について説明したが、泡消火設備や水噴霧消火設備に採用してもよい。
【符号の説明】
【００４４】
１  弁箱
1a  一次側開口部
1b  二次側開口部
２  弁室
３  通水路
７  支持部
８  スイッチ函体
10  流水検知部
11  パドル軸
12a 、12b   分割パドル片
14  流水検知スイッチ
16  スプリング受け
17  パドル水平保持板
20  逆止弁
22  弁座
【図１】
0006395591.tif 000002
【図２】
0006395591.tif 000003
【図３】
0006395591.tif 000004
【図４】
0006395591.tif 000005
【図５】
0006395591.tif 000006
【図６】
0006395591.tif 000007
【図７】
0006395591.tif 000008
【図８】
0006395591.tif 000009
【図９】
0006395591.tif 000010
【図１０】
0006395591.tif 000011
【図１１】
0006395591.tif 000012
【図１２】
0006395591.tif 000013
【図１３】
0006395591.tif 000014
【図１４】
0006395591.tif 000015
【図１５】
0006395591.tif 000016
【図１６】
0006395591.tif 000017
【図１７】
0006395591.tif 000018
【図１８】
0006395591.tif 000019
【図１９】
0006395591.tif 000020